(57)【要約】【課題】軽量な屋根瓦（樹脂系瓦）として使用される樹脂系屋根材において、火災に遭遇した際の難燃性や、長期間の使用に際しての耐久性が優れた樹脂系屋根材を提供する。【解決手段】家屋等の屋根上に葺かれる樹脂系屋根材Ａであって、表、裏面は、繊維強化プラスチック２、２で形成すると共に、これらの繊維強化プラスチック２、２の間に、不燃板１を介在させて形成したことを特徴とする。【選択図】図１
2009185557.tif 000002
【特許請求の範囲】
【請求項１】
家屋等の屋根上に葺かれる樹脂系屋根材であって、
表、裏面は、繊維強化プラスチックで形成すると共に、これらの繊維強化プラスチックの間に、不燃板を介在させて形成したことを特徴とする樹脂系屋根材。
【請求項２】
請求項１において、
不燃板は、鉄板、アルミ板等の金属板で形成してなる樹脂系屋根材。
【請求項３】
請求項１において、
不燃板は、カーボン板で形成してなる樹脂系屋根材。
【請求項４】
請求項１〜３の何れかにおいて、
不燃板には、複数の孔部を形成してなる樹脂系屋根材。
【発明の詳細な説明】
【技術分野】
【０００１】
本発明は、軽量な屋根瓦として使用される樹脂系屋根材に関するものである。
【背景技術】
【０００２】
従来、古くから粘度瓦、セメント瓦等の窯業系瓦が屋根材として汎用されていた。
しかしながら、かかる窯業系瓦は、重量がきわめて大きいため、屋根葺き時の作業性が悪く、かつ、建物にも大きな負荷がかかり、建物の耐久性にも悪影響を与えるという問題があった。
【０００３】
そこで、かかる窯業系瓦の問題点を解消するため、不飽和ポリエステル樹脂等の熱硬化性樹脂に補強用繊維材料等を添加して成形してなる樹脂系瓦が知られている（例えば、特許文献１及び２参照。）。
【特許文献１】特許第３４５４３５８号公報
【特許文献２】特開２００２−２７６０８２号公報
【発明の開示】
【発明が解決しようとする課題】
【０００４】
前記従来の樹脂系瓦においては、窯業系瓦の問題点である重量が大きいとい点を解消した軽量な瓦として優れている。
【０００５】
しかしながら、かかる樹脂系瓦においては、火災に遭遇した際の難燃性や、長期間の使用に際しての耐久性の点で満足すべきものであるとは言い難いという問題があった。
【０００６】
本発明は、前記目的を達成するため、軽量な屋根瓦（樹脂系瓦）として使用される樹脂系屋根材において、火災に遭遇した際の難燃性や、長期間の使用に際しての耐久性が優れた樹脂系屋根材を提供することを課題とする。
【課題を解決するための手段】
【０００７】
前記目的を達成するため、
請求項１に係る樹脂系屋根材は、家屋等の屋根上に葺かれる樹脂系屋根材であって、表、裏面は、繊維強化プラスチックで形成すると共に、これらの繊維強化プラスチックの間に、不燃板を介在させて形成したことを特徴とする。
【０００８】
請求項２に係る樹脂系屋根材は、請求項１において、不燃板は、鉄板、アルミ板等の金属板で形成してなる。
【０００９】
請求項３に係る樹脂系屋根材は、請求項１において、不燃板は、カーボン板で形成してなる。
【００１０】
請求項４に係る樹脂系屋根材は、請求項１〜３の何れかにおいて、不燃板には、複数の孔部を形成してなる。
【発明の効果】
【００１１】
本発明によれば、次のような効果がある。
【００１２】
請求項１に係る樹脂系屋根材によれば、表、裏面は、繊維強化プラスチックで形成すると共に、これらの繊維強化プラスチックの間に、不燃板を介在させて形成しているので、万一、火災によって、樹脂系屋根材の表面に形成された繊維強化プラスチックを貫通して延焼しても、前記不燃板の難燃化作用によって延焼を阻止することができる。
【００１３】
又、樹脂系屋根材の表、裏面は、繊維強化プラスチックで形成しているので、樹脂系屋根材を家屋等に応じた所望の形状に形成できるうえ軽量化に優れ、しかも、錆等による腐食による劣化が生じることなく、耐久性を向上することができる。
【００１４】
請求項２に係る樹脂系屋根材によれば、不燃板は、鉄板、アルミ板等の金属板で形成してなるので、前記金属板の不燃化作用によって延焼を確実に阻止することができる。
【００１５】
請求項３に係る樹脂系屋根材によれば、不燃板は、カーボン板で形成してなるので、前記カーボン板の難燃化作用によって延焼を阻止することができるうえ、樹脂系屋根材を更に軽量化することができる。
【００１６】
請求項４に係る樹脂系屋根材によれば、不燃板には、複数の孔部を形成してなるので、前記孔部を通じて表、裏面の繊維強化プラスチックが一体化されるため、樹脂系屋根材の強度、剛性等を高めることができ、耐久性を更に向上することができる。
【発明を実施するための最良の形態】
【００１７】
以下、本発明に係る樹脂系屋根材Ａを図面とともに説明する。
【実施例１】
【００１８】
図１は、本発明の樹脂系屋根材Ａの一実施例を示した斜視図及び要部の拡大断面図である。
【００１９】
図１に例示したように、本発明の樹脂系屋根材Ａは、家屋等の屋根上に葺かれるものであって、表、裏面は、繊維強化プラスチック２、２で形成すると共に、これらの繊維強化プラスチック２、２の間に、不燃板１を介在させて積層形成したものである。
【００２０】
図２は、本発明の樹脂系屋根材Ａの他の実施例を示した斜視図及び要部の拡大断面図である。
【００２１】
又、図２に例示したように、本発明の樹脂系屋根材Ａは、表、裏面は、繊維強化プラスチック２、２で形成すると共に、これらの繊維強化プラスチック２、２の間に、繊維強化プラスチック２を介して複数の不燃板１、１を介在させて積層形成したものである。
【００２２】
これら図１、図２で示した不燃板１は、例えば、鉄板、アルミ板等の金属板、又は、カーボン板で形成してなる。
【００２３】
又、本発明の樹脂系屋根材Ａは、例えば、不燃板２の表、裏面に繊維強化プラスチック材料を、載置、塗布等により積層し、加熱加圧等により成形一体化して樹脂系屋根材Ａを製造すれば良い。ただし、前記製造法に限定するものではない。
【００２４】
又、繊維強化プラスチック２を形成する合成樹脂材料としては、例えば、不飽和ポリエステル樹脂、エポキシ樹脂、フェノール樹脂等の熱硬化性樹脂や、ポリエチレン樹脂、ポリプロピレン樹脂、ポリアミド樹脂等の熱可塑性樹脂等の合成樹脂（特に、屋根材としての強度、剛性等の点で、熱硬化性樹脂が好ましい。）に、ガラス繊維、カーボン繊維等の不燃性繊維からなるチョップストランドマット、繊維布等を含有させて半硬化させたシート状のプリプレグよりなるＳＭＣ（Ｓｈｅｅｔ Ｍｏｌｄｉｎｇ Ｃｏｍｐｏｕｎｄ）や、上記と同様の合成樹脂に不燃性繊維からなるチョップストランドを含有させたバルク状のプリミックスよりなるＢＭＣ（Ｂｕｌｋ Ｍｏｌｄｉｎｇ Ｃｏｍｐｏｕｎｄ）又はペレット状のプリミックスよりなるＰＭＣ（Ｐｅｌｌｅｔｉｚｅｄ ｔｙｐｅ Ｍｏｌｄｉｎｇ Ｃｏｍｐｏｕｎｄ）等のＦＲＰ（Ｆｉｂｅｒ Ｒｅｉｎｆｏｒｃｅｄ Ｐｌａｓｔｉｃｓ）材料を使用するのが好ましい。
【００２５】
又、例えば、水酸化アルミニウム、三酸化アンチモン、ほう酸亜鉛、ほう酸バリウム、炭酸カルシウム、けい酸カルシウム、タルク、マイカ、クレー、シリカ、アルミナ、けい砂、ガラス繊維基材等の不燃性充填材を添加した不飽和ポリエステル樹脂、エポキシ樹脂、フェノール樹脂等の熱硬化性樹脂、及びポリエチレン樹脂、ポリプロピレン樹脂、ポリアミド樹脂等の熱可塑性樹脂等の合成樹脂（特に、屋根材としての強度、剛性等の点で熱硬化性樹脂が好ましい。）や、塩素化パラフィン、塩素化ポリエチレン、テトラブロムエタン、テトラブロムビスフェノールＡ等のハロゲン化合物、及びトリクレジルホスフェート、クレジルジフェニールホスフェート、トリフェニールホスフェート、トリオクチルホスフェート等のりん酸エステル、及びトリス（クロロエチル）ホスフェート、ビス（２,３−ジブロモプロピル）−２,３ジクロロプロピルホスフェート、トリス（２,３−ジブロモプロピル）−ホスフェート等の含ハロゲンりん酸エステル等の難燃剤を添加した上記と同様の熱硬化性樹脂、熱可塑性樹脂等の合成樹脂（特に、屋根材としての強度、剛性等の点で熱硬化性樹脂が好ましい。）や、芳香族ポリスルホン、全芳香族ポリイミド等の耐熱性ポリマーよりなる樹脂自体が難燃性を有する合成樹脂を使用するのが好ましい。ただし、上記材料に限定するものではない。
【００２６】
このような樹脂系屋根材Ａによれば、表、裏面は、繊維強化プラスチック２、２で形成すると共に、これらの繊維強化プラスチック２、２の間に、不燃板１を介在させて形成しているので、万一、火災によって、樹脂系屋根材Ａの表面に形成された繊維強化プラスチック２、２を貫通して延焼しても、不燃板１の難燃化作用によって延焼を阻止することができる。
【００２７】
又、表、裏面は、繊維強化プラスチック２、２で形成しているので、樹脂系屋根材Ａを家屋等に応じた所望の形状に形成できるうえ軽量化に優れ、しかも、錆等による腐食による劣化が生じることなく、耐久性を向上することができる。
【００２８】
又、図２に例示したように、繊維強化プラスチック２、２で形成すると共に、これらの繊維強化プラスチック２、２の間に、繊維強化プラスチック２を介して複数の不燃板１、１を介在させて交互に積層形成した場合には、難燃化作用及び強度、剛性等を発揮する繊維強化プラスチック２及び不燃板１との層数が増加するため、前記火災に遭遇した際の難燃性や、長期間の使用に際しての耐久性を更に向上することができる。
【００２９】
なお、本発明の樹脂系屋根材Ａの形状は、本実施例で示した複数の瓦が連結したような波板に限定されず、折板、平板等、所望の形状を採用すれば良く、又、厚みは、３〜６ｍｍ等、所望する強度、剛性に応じて任意に選択、決定すれば良い。
【実施例２】
【００３０】
図３は、本発明の樹脂系屋根材Ａの更に他の実施例を示した斜視図及び要部の拡大断面図である。
【００３１】
なお、図１及び図２と共通する部位には、同一の符号を付して重複する説明を省略し、以下では、本実施例の特徴についてのみ説明する。
【００３２】
本実施例の樹脂系屋根材Ａの不燃板２には、複数の孔部３、３・・・を形成している点に特徴がある。
【００３３】
そのため、樹脂系屋根材Ａの成形時に繊維強化プラスチック２材料を構成する合成樹脂が、この不燃板１に形成した複数の孔部３、３・・・を通じて流入し、表、裏面の繊維強化プラスチック２が一体化されるため、樹脂系屋根材Ａの強度、剛性等を更に高めることができ、耐久性を更に向上することができる。
【図面の簡単な説明】
【００３４】
【図１】本発明の樹脂系屋根材Ａの一実施例を示した斜視図及び要部の拡大断面図である。
【図２】本発明の樹脂系屋根材Ａの他の実施例を示した斜視図及び要部の拡大断面図である。
【図３】本発明の樹脂系屋根材Ａの更に他の実施例を示した斜視図及び要部の拡大断面図である。
【符号の説明】
【００３５】
Ａ  樹脂系屋根材
１  不燃板
２  繊維強化プラスチック
３  孔部
【図１】
2009185557.tif 000003
【図２】
2009185557.tif 000004
【図３】
2009185557.tif 000005
【手続補正書】
【提出日】平成21年1月19日(2009.1.19)
【手続補正１】
【補正対象書類名】明細書
【補正対象項目名】０００４
【補正方法】変更
【補正の内容】
【０００４】
前記従来の樹脂系瓦においては、窯業系瓦の問題点である重量が大きいという点を解消した軽量な瓦として優れている。
【手続補正２】
【補正対象書類名】明細書
【補正対象項目名】００２５
【補正方法】変更
【補正の内容】
【００２５】
又、例えば、水酸化アルミニウム、三酸化アンチモン、ほう酸亜鉛、ほう酸バリウム、炭酸カルシウム、けい酸カルシウム、タルク、マイカ、クレー、シリカ、アルミナ、けい砂、ガラス繊維等の不燃性充填材を添加した不飽和ポリエステル樹脂、エポキシ樹脂、フェノール樹脂等の熱硬化性樹脂、及びポリエチレン樹脂、ポリプロピレン樹脂、ポリアミド樹脂等の熱可塑性樹脂等の合成樹脂（特に、屋根材としての強度、剛性等の点で熱硬化性樹脂が好ましい。）や、塩素化パラフィン、塩素化ポリエチレン、テトラブロムエタン、テトラブロムビスフェノールＡ等のハロゲン化合物、及びトリクレジルホスフェート、クレジルジフェニールホスフェート、トリフェニールホスフェート、トリオクチルホスフェート等のりん酸エステル、及びトリス（クロロエチル）ホスフェート、ビス（２,３−ジブロモプロピル）−２,３ジクロロプロピルホスフェート、トリス（２,３−ジブロモプロピル）−ホスフェート等の含ハロゲンりん酸エステル等の難燃剤を添加した上記と同様の熱硬化性樹脂、熱可塑性樹脂等の合成樹脂（特に、屋根材としての強度、剛性等の点で熱硬化性樹脂が好ましい。）や、芳香族ポリスルホン、全芳香族ポリイミド等の耐熱性ポリマーよりなる樹脂自体が難燃性を有する合成樹脂を使用するのが好ましい。ただし、上記材料に限定するものではない。
【手続補正３】
【補正対象書類名】明細書
【補正対象項目名】００２８
【補正方法】変更
【補正の内容】
【００２８】
又、図２に例示したように、繊維強化プラスチック２、２で形成すると共に、これらの繊維強化プラスチック２、２の間に、繊維強化プラスチック２を介して複数の不燃板１、１を介在させて交互に積層形成した場合には、難燃化作用及び強度、剛性等を発揮する繊維強化プラスチック２及び不燃板１の層数が増加するため、前記火災に遭遇した際の難燃性や、長期間の使用に際しての耐久性を更に向上することができる。
【手続補正４】
【補正対象書類名】図面
【補正対象項目名】図３
【補正方法】変更
【補正の内容】
【図３】
2009185557.tif 000006